(57)【要約】      （修正有）【課題】車両の運転者及び同乗者等、同じ空間にいる複数の人が共通して興味を持っている可能性が高い情報を提供し、会話を活性化させることが可能な装置、システム、方法及びプログラムを提供する。【解決手段】情報提示装置１０は、第１の機器及び第２の機器に通信可能に接続し、第１の機器に記録されている第１の機器の所有者に関する情報である第１の所有者関連情報、及び、第２の機器に記録されている第２の機器の所有者に関する情報である第２の所有者関連情報を取得する情報取得部１１と、第１の所有者関連情報と第２の所有者関連情報とで互いに共通性を有する情報を一般化した一般化情報を提示する情報提示部１７と、を有することを特徴とする。【選択図】図２
2017162073.tif 000002
【特許請求の範囲】
【請求項１】
第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得する情報取得部と、
前記第１の所有者関連情報と前記第２の所有者関連情報とで互いに共通性を有する情報を一般化した一般化情報を提示する提示部と、
を有することを特徴とする情報提示装置。
【請求項２】
前記共通性を有する情報は意味を有する文字列であり、前記一般化情報は、前記共通性を有する情報の上位概念であることを特徴とする請求項１に記載の情報提示装置。
【請求項３】
前記第１の所有者関連情報と前記第２の所有者関連情報とを比較して、前記第１の所有者関連情報及び前記第２の所有者関連情報からの各々から互いに関連性が高い情報を前記共通性を有する情報として各々抽出し、前記共通性を有する情報に基づいて前記一般化情報を生成する情報生成部を有することを特徴とする請求項１または２に記載の情報提示装置。
【請求項４】
前記情報生成部は、前記第１の機器及び前記第２の機器として接続された接続機器の組み合わせを接続の度に記録し、以前に記録された接続機器と同一の組み合わせの接続機器が接続された際には、前記同一の組み合わせでの接続回数が多くなるにしたがって前記一般化情報をより下位の概念にすることを特徴とする請求項３に記載の情報提示装置。
【請求項５】
前記第１の機器の所有者及び前記第２の機器の所有者が発する音声を取得する音声取得部を含み、
前記提示部は、前記一般化情報を前記情報生成部が生成して前記提示部が提示した後に前記音声取得部によって取得された音声に基づいて前記第１の機器の所有者と前記第２の所有者との会話頻度を解析し、前記会話頻度に応じて当該提示した一般化情報の提示頻度を変更することを特徴とする請求項３または４に記載の情報提示装置。
【請求項６】
前記共通性を有する情報は、前記第１の所有者情報と前記第２の所有者情報とに共通して含まれる文字列であることを特徴とする請求項１乃至５のいずれか１つに記載の情報提示装置。
【請求項７】
第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得する情報取得部と、
前記第１の所有者関連情報と前記第２の所有者関連情報とを比較して、前記第１の所有者関連情報及び前記第２の所有者関連情報の各々から互いに関連性が高い情報を共通性を有する情報として抽出し、前記共通性を有する情報を一般化した一般化情報を生成する情報生成部と、
前記一般化情報を提示する提示部と、
を有することを特徴とする情報提示システム。
【請求項８】
情報取得部が、第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得するステップと、
提示部が、前記第１の所有者関連情報と前記第２の所有者関連情報とで互いに共通性を有する情報を一般化した一般化情報を提示するステップと、
を含むことを特徴とする情報提示方法。
【請求項９】
コンピュータに、第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得するステップと、
前記第１の所有者関連情報と前記第２の所有者関連情報とで互いに共通性を有する情報を一般化した一般化情報を提示するステップと、を実行させるためのプログラム。
【発明の詳細な説明】
【技術分野】
【０００１】
本発明は、情報提示装置、情報提示システム、並びに情報提示方法及びプログラムに関する。
【背景技術】
【０００２】
例えば、車両の運転者と同乗者とのコミュニケーションを活性化するための手法として、例えば、車両の現在位置及び車両の進行方向に基づいて車両の進行方向前方の地点に関する情報を表示部に表示する技術が提案されている（特許文献１）。
【先行技術文献】
【特許文献】
【０００３】
【特許文献１】特開2014-22949号公報
【発明の概要】
【発明が解決しようとする課題】
【０００４】
上記情報提供技術を用いた場合、運転者または同乗者が車両の進行方向前方の地点に興味があるか否かに関わらず、当該地点に関する情報が提供される。そのため、そのため、運転者または同乗者が当該地点に興味がない場合には、会話が活性化されない場合があった。
【０００５】
本発明は上記した点に鑑みてなされたものであり、車両の運転者及び同乗者等、同じ空間にいる複数の人が共通して興味を持っている可能性が高い情報を提供し、会話を活性化させることが可能な装置を提供することを課題の１つとしている。また、情報提供の際に、個人のプライバシーを守ることが可能な情報提示装置、情報提示システム、並びに情報提示方法及びプログラムを提供することを課題の１つとしている。
【課題を解決するための手段】
【０００６】
請求項１に記載の発明は、
第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得する情報取得部と、前記第１の所有者関連情報と前記第２の所有者関連情報とで互いに共通性を有する情報を一般化した一般化情報を提示する提示部と、を有することを特徴とする情報提示装置である。
【０００７】
請求項７に記載の発明は、第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得する情報取得部と、前記第１の所有者関連情報と前記第２の所有者関連情報とを比較して、前記第１の所有者関連情報及び前記第２の所有者関連情報の各々から互いに関連性が高い情報を共通性を有する情報として抽出し、前記共通性を有する情報を一般化した一般化情報を生成する情報生成部と、前記一般化情報を提示する提示部と、を有することを特徴とする情報提示システムである。
【０００８】
請求項８に記載の発明は、情報取得部が、第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得するステップと、提示部が、前記第１の所有者関連情報と前記第２の所有者関連情報とで互いに共通性を有する情報を一般化した一般化情報を提示するステップと、を含むことを特徴とする情報提示方法である。
【０００９】
請求項９に記載の発明は、コンピュータに、第１の機器及び第２の機器に通信可能に接続し、前記第１の機器に記録されている前記第１の機器の所有者に関する情報である第１の所有者関連情報及び前記第２の機器に記録されている前記第２の機器の所有者に関する情報である第２の所有者関連情報を取得するステップと、前記第１の所有者関連情報と前記第２の所有者関連情報とで互いに共通性を有する情報を一般化した一般化情報を提示するステップと、を実行させるためのプログラムである。
【図面の簡単な説明】
【００１０】
【図１】実施例１の情報提示装置の車両への搭載例を示す図である。
【図２】実施例１の情報提示装置の機能ブロック図である。
【図３】上位概念情報テーブルの一例を示す図である。
【図４】話題情報の表示例を示す図である。
【図５】話題情報の表示例を示す図である。
【図６】実施例１の情報取得ルーチンの一例を示す図である。
【図７】実施例１の話題情報生成ルーチンの一例を示す図である。
【図８】実施例１の情報提示ルーチンの一例を示す図である。
【図９】実施例２の話題情報生成ルーチンの一例を示す図である。
【図１０】実施例３の情報提示ルーチンの一例を示す図である。
【図１１】情報提示システムの機能ブロック図である。
【発明を実施するための形態】
【００１１】
以下においては、本発明の好適な実施例について説明する。しかし、これらを適宜改変し、組み合わせてもよい。また、以下の説明及び添付図面において、実質的に同一又は等価な部分には同一の参照符を付して説明する。
【実施例１】
【００１２】
以下に、本発明の実施例１である情報提示装置１０及び情報提示装置１０によって行われる情報提示方法について、添付の図面を参照して説明する。
【００１３】
図１は、自動車Ｍに搭載される際の情報提示装置１０及びこれを含む情報提示システム１００の構成例を示す図である。情報提示装置１０は、例えば、ダッシュボードＤＢ内センターコンソールＣＣ部分に搭載されている。
【００１４】
ディスプレイＤは、例えば、ダッシュボードＤＢ上に配されている。ディスプレイＤは、搭乗者から視認できる場所に配されていればよい。例えば、ディスプレイＤは、ダッシュボードＤＢ内のセンターコンソールＣＣに取り付けられていてもよい。ディスプレイＤは、情報提示装置１０と通信可能に接続されており、情報提示装置１０の制御に基づいて画面表示を行うことが可能である。
【００１５】
スピーカＳは、例えば、ＡピラーＰまたはドアＤＲの室内側に設けられている。スピーカＳは、情報提示装置１０と通信可能に接続されており、情報提示装置１０の制御に基づいて音声を発することが可能である。すなわち、音声案内を行うことが可能である。
【００１６】
マイクＭは、例えば、ダッシュボードＤＢ上に配されている。マイクＭは、マイクＭの周囲の音、例えば車内における乗員同士の会話音声を収集することが可能である。また、マイクＭは、情報提示装置１０と通信可能に接続されており、当該収集した音声の信号を情報提示装置１０に送信することが可能である。
【００１７】
図２に、話題提示装置１０の機能ブロック図を示す。情報取得部１１は、話題提示装置１０の近傍にある携帯端末、例えば、自動車Ｍの車内に持ち込まれた１または複数の携帯端末ＭＴと情報通信可能に接続可能である。なお、図２では、一例として２台の携帯端末ＭＴと接続する場合を示している。
【００１８】
携帯端末ＭＴは、例えば、スマートフォン、タブレット、ＰＤＡ（Personal Digital Assistant）、フィーチャーフォン等である。
【００１９】
情報取得部１１は、携帯端末ＭＴと有線または無線接続技術によって接続可能である。無線接続の方式としては、例えば、赤外線、ブルートゥース（Bluetooth（登録商標））、Ｗｉ−Ｆｉ等の方式が使用可能である。
【００２０】
情報取得部１１は、携帯端末ＭＴに接続し、携帯端末ＭＴから種々の情報を取得することが可能である。例えば、情報取得部１１は、携帯端末ＭＴから、携帯端末ＭＴの所有者に関する情報である所有者関連情報を取得することが可能である。所有者関連情報としては、例えば、所有者の自宅住所等の個人情報、文字の入力履歴、携帯端末ＭＴに保存されている音楽データ（楽曲の題名及びアーティスト名、並びに再生履歴等）、検索履歴、アプリケーションの名称、アプリケーションのジャンル、アプリケーションの使用履歴、ネットショッピングでの購入履歴、移動履歴等の文字情報である。
【００２１】
情報取得部１１は、近傍に複数の携帯端末ＭＴの存在を認識すると、当該複数の携帯端末ＭＴとの接続を確立させる。情報取得部１１は、接続が確立した後、当該複数の端末ＭＴの各々から上記したような所有者関連情報を取得して、話題情報生成部１３に送信する。
【００２２】
話題情報生成部１３は、情報取得部１１から複数の携帯端末ＭＴの各々の所有者関連情報を受信する。話題情報生成部１３は、複数の携帯端末の各々の所有者関連情報を受信して、これらを互いに比較照合する。この比較照合の結果、話題情報生成部１３は、互いに関連性が高い情報として各携帯端末の所有者関連情報に共通して含まれる共通文字情報を抽出可能である。また、話題情報生成部１３は、当該共通文字の上位概念を導出可能である。
【００２３】
さらに、話題情報生成部１３は、各携帯端末の所有者関連情報に含まれる文字情報の上位概念を導出して比較し、互いに関連性が高い情報として、同一の上位概念を有する文字情報及び当該文字情報の上位概念を抽出可能である。話題情報生成部１３は、上記した上位概念の導出において、例えば、概念データベース（ＤＢ）１５を参照して、文字情報から上位概念を取得可能である。図２においては、一例として概念データベース１５は、情報提示装置１０の内部に配されているように示されている。しかし、概念データベースＤＢは、情報提示装置１０の外部に設けられ、情報提示装置１０と通信可能に接続されていてもよい。また、
図３に、一例として、概念データベース１５に保持される上位概念情報テーブルＴを示す。上位概念情報テーブルＴは、キーワード等の文字情報、当該文字情報の上位概念である中カテゴリ情報、さらに中カテゴリ情報よりも上位概念である大カテゴリ情報をセットとするテーブルである。なお、図３では、１つのキーワードに１つの中カテゴリ情報及び１つの大カテゴリ情報が示されているが、１つのキーワードに対して複数の中カテゴリ情報及び大カテゴリ情報があってもよい。
【００２４】
話題情報生成部１３は、例えば、情報取得部１１から文字情報を取得すると、テーブルＴのキーワード欄の中で、当該文字情報と一致するキーワードを検索する。話題情報生成部１３は、一致するキーワードを発見すると、当該キーワードに中カテゴリ及び大カテゴリ欄を参照して文字情報の上位概念を取得する。
【００２５】
例えば、話題情報生成部１３は、サッカー選手名である「○○選手」という文字情報を情報取得部１１から取得すると、そのキーワードの上位概念である中カテゴリ情報のスポーツ名である「サッカー」及び大カテゴリ情報の「スポーツ」を取得する。また、例えば、ＲＰＧ（ロールプレイングゲーム）のゲーム名である「○○クエスト」という文字情報を取得すると、そのキーワードの上位概念である中カテゴリ情報のゲームジャンルである「ＲＰＧ」及び大カテゴリ情報の「ゲーム」を取得する。
【００２６】
話題情報生成部１３は、上記した共通文字情報、中カテゴリ情報または大カテゴリ情報を含む情報を話題情報として生成し、情報提示部１７に送信する。
【００２７】
話題情報生成部１３は、話題情報を生成する場合において、共通文字情報自体を含まず、共通文字情報を一般した一般化情報である中カテゴリ情報または大カテゴリ情報のみを含む話題情報を生成することとしてもよい。これにより、携帯端末ＭＴの所有者の個人情報または個人的な趣向が所有者の意図に反して開示されることを防止することが可能である。
【００２８】
例えば、共通文字情報が、携帯端末ＭＴの所有者の住所等の個人情報または移動履歴等、ユーザが他人に知られたくない情報である場合には、必ず共通文字情報を除外し、一般化情報である中カテゴリ情報または大カテゴリ情報のみを含み話題情報を生成してもよい。
【００２９】
一方、共通文字情報が、携帯端末ＭＴの所有者の音楽の再生履歴やアプリの使用履歴等、ユーザが他人に知られてもいい情報である場合には、共通文字情報を含む情報として話題情報を生成してもよい。所有者が知られたくない情報は、携帯端末ＭＴにおいて選択されて設定されてもよいし、情報提示装置１０において設定されてもよい。
【００３０】
また、現在認識されている携帯端末ＭＴの組み合わせ（セット）が以前に認識された携帯端末ＭＴの組み合わせと同一であるかによって、生成する話題情報に含まれる情報を変更することとしてもよい。例えば、情報取得部１１によって認識されて、所有者関連情報が取得された携帯端末ＭＴの組み合わせを記録しておくこととしてもよい。
【００３１】
この記録に基づいて、現在認識されている携帯端末ＭＴの組み合わせと同一の組み合わせが以前にも認識されている場合には、より下位の概念、すなわちキーワード自体またはキーワードにより近い情報を含む情報が話題情報として生成されてもよい。
【００３２】
また、現在認識されている携帯端末ＭＴの組み合わせが以前に複数回認識されている場合には、認識されている回数が多いほど、より下位の概念を含む情報が話題情報として生成されてもよい。
【００３３】
情報提示部１７は、話題情報生成部１３から話題情報を受信すると、これをディスプレイＤまたはスピーカＳを介して提示する。情報提示部１７は、ディスプレイＤを介して話題情報を提示する場合には、例えば、図４に示すように話題情報に含まれる情報をリストにして表示してもよい。また、図５に示すように、話題情報に含まれる情報から選択した１または複数の話題の会話を行うように促す表示をしてもよい。
【００３４】
また、情報提示部は、スピーカＳを介して話題情報を提示する場合には、例えば、話題情報に含まれる１または複数の情報を音声読み上げによって提示してもよい。
【００３５】
情報提示部１７は、例えば、マイクＭからの音声信号を監視し、マイクＭの周囲にいる人同士の会話がない、すなわち自動車Ｍの車内において会話が行われていないと判定すると、話題情報を提示してもよい。この判定は、マイクＭへの音声入力の有無を判定することによって行われてもよい。
【００３６】
また、情報提示部１７は、自動車Ｍのナビゲーションシステム（図示せず）と連動していてもよい。すなわち、例えば、ナビゲーション装置によるナビゲーションの邪魔にならない場面で、話題を提示することとしてもよい。ナビゲーションの邪魔にならない場面とは、例えば、しばらく直進するルートを走行している場合、ナビゲーションの次の案内地点（例えば、右左折の案内等を行う地点）から離れている場合等である。
【００３７】
また、情報提示部１７は、話題情報を提示するのみならず、ナビゲーション装置が保有している地図情報を利用して、話題情報に関連する情報を提示してもよい。例えば、話題情報として「ラーメン店」を提示する場合、現在地点付近のラーメン店を表示した地図を、話題を提示する文字情報とともに、または話題を提示する文字情報に代えて表示してもよい。
【００３８】
また、情報提示部１７は、話題情報に基づいて情報を収集し、話題情報に関連する情報を提示してもよい。例えば、話題情報として「サッカー」を提示する場合には、サッカーに関する情報（例えば、ニュース等）をインターネット等を介して収集し、これらを提示することとしてもよい。
【００３９】
また、情報提示部１７は、大カテゴリ情報及び中カテゴリ情報図４に示したようなリスト形式で話題情報をとして表示する場合、画面上で大カテゴリ及び中カテゴリ情報を選択すると、さらに下位の概念を表示することとしてもよい。例えば、大カテゴリ情報として「スポーツ」が表示している場合、「スポーツ」を選択すると、中カテゴリ情報「サッカー」またはキーワード情報「○○選手」を表示することとしてもよい。
【００４０】
また、情報提示部１７は、話題情報の提示の結果を話題情報生成部１３にフィードバックしてもよい。例えば、情報提示部１７は、話題情報の提示の後にマイクＭを介して、会話が盛り上がっている否かを判定してその結果を話題情報生成部１３に送信してもよい。この判定は、マイクＭからの音声信号を監視し、会話が一定時間継続しているか否かを判定することで行われてもよいし、会話の音量が一定値以上になった場合に盛り上がっていると判定することとしてもよい。
【００４１】
情報提示部１７は、例えば、提示した話題情報及び会話盛り上がっていたか否かの判定を含む情報を話題情報生成部１３に送信することで、話題情報の提示の結果をフィードバックする。
【００４２】
話題情報生成部１３は、当該フィードバックされた結果に基づいて、生成して情報提示部１７に送信する話題情報を変更してもよい。例えば、提示の結果、会話が盛り上がらなかった話題情報の生成頻度を低下させることとしてもよい。また、提示の結果会話が盛り上がった話題情報の生成頻度を増加させることとしてもよい。
【００４３】
なお、上記フィードバックの情報に基づいて、情報提示部１７が提示する話題情報を変更してもよい。例えば、情報提示部１７は、話題情報生成部１３から複数の話題情報を受信した場合に、当該フィードバック情報に基づいて提供する話題情報または話題情報の表示態様を変更することとしてもよい。
【００４４】
例えば、当該フィードバック情報において、会話が盛り上がったとされる話題情報を優先的に表示してもよい。また、話題情報をリスト形式で表示する場合会話が盛り上がったとされる話題情報を、より目にとまるように、例えばリストのより上の方に表示することとしてもよい。
【００４５】
以下、情報提示方法の一例として、情報提示装置１０によって実行されるルーチンについて説明する。以下の説明において、各ルーチンは、情報提示装置１０に含まれるＣＰＵ等の演算装置によって実行されてもよい。
【００４６】
［情報取得ルーチン］
図６に、情報取得部１１が実行するルーチンの一例として、情報取得ルーチンＲ１を示す。情報取得ルーチンＲ１は、例えば、情報提示装置１０に電源が供給された際に開始する。
【００４７】
ルーチンが開始されると、情報取得部１１は、２以上の携帯端末ＭＴが接続されているかを判定する（ステップＳ１）。この判定は、例えば、情報取得部１１が情報提示装置１０の近傍、例えば自動車Ｍの車内に２以上の携帯端末ＭＴが存在し、それらを認識しかつそれらとの接続が確立されているか否かを判定することで行われてもよい。
【００４８】
情報取得部１１は、ステップＳ１において２以上の携帯端末ＭＴが接続されていると判定する（ステップＳ１：ＹＥＳ）と、当該携帯端末ＭＴから所有者関連情報を取得する（ステップＳ２）。情報取得部１１が、ステップＳ１において２以上の携帯端末ＭＴが接続されていないと判定する（ステップＳ１：ＮＯ）と、その後ルーチンは終了する。
【００４９】
情報取得部１７は、ステップＳ２を実行した後、取得した所有者関連情報を話題情報生成部１３に送信し（ステップＳ３）、その後ルーチンは終了する。
【００５０】
［話題情報生成ルーチン］
図７に、話題情報生成部１３が実行するルーチンの一例として、話題情報生成ルーチンＲ２を示す。話題情報生成ルーチンＲ２は、例えば、情報提示装置１０に電源が供給された際に開始する。
【００５１】
ルーチンが開始されると、話題情報生成部１３は、情報取得部１１から所有者関連情報を受信したか否かを判定する（ステップＳ１）。話題情報生成部１３が、所有者関連情報を受信していないと判定する（ステップＳ１：ＮＯ）と、その後ルーチンは終了する。
【００５２】
話題情報生成部１３は、情報取得部１１から所有者関連情報を受信したと判定する（ステップＳ１：ＹＥＳ）と、携帯端末ＭＴの各々の所有者関連情報内に含まれる文字情報を比較照合する（ステップＳ２）。話題情報生成部１３は、ステップＳ２を実行した後、比較照合によって共通のキーワードを発見したか否かを判定する（ステップＳ３）。
【００５３】
話題情報生成部１３は、ステップＳ３において共通のキーワードを発見したと判定する（ステップＳ３：ＹＥＳ）と、共通のキーワードの上位概念、すなわち共通のキーワードを一般化した情報である一般化情報を含む情報を話題情報として情報提示部１７に送信する（ステップＳ４）。当該送信される話題情報に含まれる上位概念は、例えば、上述のように概念データベース１５のテーブルＴを参照することによって取得される。
【００５４】
話題情報生成部１３は、ステップＳ３において、共通のキーワードが発見できなかったと判定する（Ｓ３：ＮＯ）と、共通の上位概念を有するキーワードを発見したか否かを判定する（ステップＳ５）。この共通の上位概念の発見は、例えば、各所有者関連情報内に含まれるキーワードの上位概念（中カテゴリ情報または大カテゴリ情報）を概念データベース１５のテーブルＴを参照することによって取得し、取得した上位概念を比較照合することで行われてもよい。
【００５５】
話題情報生成部１３は、ステップＳ５において、共通の上位概念を発見したと判定する（ステップＳ５：ＹＥＳ）と、当該発見した上位概念を含む情報を話題情報として情報提示部１７に送信する（ステップＳ６）。話題情報生成部１３が、ステップＳ５において、共通の上位概念が発見できなかったと判定すると、その後ルーチンは終了する。
【００５６】
［情報（話題）提示ルーチン］
図８に、情報提示部１７が実行するルーチンの一例として、情報提示ルーチンＲ３を示す。情報提示ルーチンＲ３は、例えば、情報提示装置１０に電源が供給された際に開始する。
【００５７】
ルーチンが開始されると、情報提示部１７は、話題情報生成部１３から話題情報を受信したか否かを判定する（ステップＳ１）。ステップＳ１において、情報提示部１７が話題情報を受信していないと判定する（ステップＳ１：ＮＯ）と、ルーチンはその後終了する。
【００５８】
情報提示部１７は、ステップＳ１において話題情報を受信したと判定する（ステップＳ１：ＹＥＳ）と、会話が行われているか否かを判定する（ステップＳ２）。この判定は、マイクＭからの音声信号を監視し、当該音声信号内に継続的に人の声が含まれるか否かを判定することで行われてもよい。
【００５９】
情報提示部１７は、ステップＳ２において会話が行われていると判定すると、所定時間待機した後に再度ステップＳ２を実行する。すなわち、このステップＳ２において、情報提示部１７は、現在が話題情報を提供するタイミングか否かを判定している。
【００６０】
情報提示部１７は、ステップＳ２において会話が行われていないと判定する（ステップＳ２：ＮＯ）と、話題情報を提示する（ステップＳ３）。この提示は、上述のように、ディスプレイＤへの話題情報の表示によってまたはスピーカＳからの音声案内によって行われてもよい。ステップＳ３の終了後、ルーチンは終了する。
【００６１】
なお、上記例においては、会話が行われていないと判定すると話題情報を提示する例を説明したが、自動車Ｍ内の乗員が眠っている場合は、会話が行われていないと判定した場合であっても話題情報を提示しないようにしてもよい。自動車Ｍ内の乗員が眠っているか否かの判定は、自動車Ｍ内の乗員を撮影するカメラによって撮影された画像を解析することでなされてもよい。
【００６２】
上記実施例１の話題提供装置１０によれば、話題提供装置１０の周囲にいる複数の人、例えば自動車等の移動体に搭乗している複数の人の携帯端末ＭＴが保有する所有者に関連する情報に基づいて、話題情報が生成される。これにより、話題提供装置１０の周囲にいる人が共通して興味をもち得る話題情報を的確に提供することが可能である。
【００６３】
また、例えば、話題の提供に際し、上記携帯端末ＭＴが保有する文字情報を比較照合して共通するキーワードを抽出した場合に、当該キーワードの上位概念を提供し得る。これにより、携帯端末ＭＴの所有者のプライバシーを保護しつつ、的確な話題情報を提供することが可能である。
【実施例２】
【００６４】
上記実施例１の話題情報生成ルーチンＲ１においては、共通のキーワードを発見した場合には、単に共通のキーワードの上位概念を含む情報を話題情報として生成することとした。しかし、現在認識されている携帯端末ＭＴの組み合わせ（セット）が以前に認識された携帯端末ＭＴの組み合わせと同一であるかによって、生成する話題情報に含まれる情報を変更することとしてもよい。
【００６５】
図９に、実施例２の話題情報生成部１３が実行するルーチンの一例として話題情報生成ルーチンＲ４を示す。話題情報生成ルーチンＲ４は、話題情報生成ルーチンＲ２とステップＳ１、Ｓ２、Ｓ３、Ｓ５がＳ６共通である。従って、共通な部分については説明を省略する。
【００６６】
話題情報生成ルーチンＲ４において、話題情報生成部１３は、ステップＳ３において共通のキーワードが発見されたと判定する（ステップＳ３：ＹＥＳ）と、どのような話題情報を生成して提供するかを決定する。この決定は、現在接続されている複数の携帯端末ＭＴが、以前に何回同時に接続されたかを判定することで行われる。
【００６７】
すなわち、話題情報生成ルーチンＲ４においては、携帯端末ＭＴの所有者が今まで複数回同空間にいた、例えば複数回自動車Ｍに同乗していたか否かを判定する。また、今まで何回程度同空間にいたかも判定する。この判定により、携帯端末ＭＴの所有者同士の親密度を予想する。例えば、同空間にいた回数が多ければ多いほど親密度が高いものと予想し、より下位の概念、すなわち発見された共通のキーワードそのものにより近い情報を話題情報として生成して提供する。
【００６８】
話題情報生成部１３は、ステップＳ３において、共通のキーワードが発見されたと判定する（ステップＳ３：ＹＥＳ）と、現在接続されている複数の携帯端末ＭＴが以前に同時に接続された回数（同時接続回数）（ｎ回）が第１の所定回数（ａ回）よりも多いか否か（ｎ＞ａか）を判定する（ステップＳ４−１）。
【００６９】
話題情報生成部１３は、ステップＳ４−１において、同時接続回数が第１の所定回数よりも少ないと判定する（ステップＳ４−１：ＮＯ）と、例えば、概念データベース１５のテーブルＴを参照する。そして、ステップＳ２〜Ｓ３で発見された共通のキーワードに対する大カテゴリ情報を含む話題情報を生成して、これを情報提示部１７に送信する（ステップＳ４−２）。話題情報生成部１３がステップＳ４−２を実行した後、ルーチンは終了する。
【００７０】
話題情報生成部１３は、ステップＳ４−１において、同時接続回数が第１の所定回数よりも多いと判定する（ステップＳ４−１：ＹＥＳ）と、同時接続回数（ｎ回）が第１の所定回数よりも多い第２の所定回数（ｂ回）よりも多いか否か（ｎ＞ｂか）を判定する（ステップＳ４−３）。
【００７１】
話題情報生成部１３は、ステップＳ４−３において、同時接続回数が第２の所定回数よりも少ないと判定する（ステップＳ４−３：ＮＯ）と、例えば、概念データベース１５のテーブルＴを参照する。そして、ステップＳ２〜Ｓ３で発見された共通のキーワードに対する中カテゴリ情報を含む話題情報を生成して、これを情報提示部１７に送信する（ステップＳ４−４）。話題情報生成部１３がステップＳ４−４を実行した後、ルーチンは終了する。
【００７２】
話題情報生成部１３は、ステップＳ４−３において、同時接続回数が第２の所定回数よりも多いと判定する（ステップＳ４−３：ＹＥＳ）と、ステップＳ２〜３で発見された共通のキーワードを含む話題情報を生成して、これを情報提示部１７に送信する（ステップＳ４−５）。話題情報生成部１３がステップＳ４−５を実行した後、ルーチンは終了する。
【００７３】
上記実施例２の話題提供装置１０によれば、話題提供装置１０の周囲にいる複数の人、例えば自動車等の移動体に搭乗している複数の人の携帯端末ＭＴが保有する所有者に関連する情報に基づいて、話題情報が生成される。これにより、話題提供装置１０の周囲にいる人が共通して興味をもち得る話題情報を的確に提供することが可能である。
【００７４】
また、例えば、話題の提供に際し、上記携帯端末ＭＴが保有する文字情報を比較照合して共通するキーワードを抽出した場合に、当該キーワードの上位概念を提供し得る。これにより、携帯端末ＭＴの所有者のプライバシーを保護しつつ、的確な話題情報を提供することが可能である。
【００７５】
また、例えば、話題情報の提供に際し、現在接続されている携帯端末ＭＴの所有者同士の親密度を予想して話題情報の生成及び提供を行う。これにより、親密度を考慮したより適切な話題情報の提供が可能となる。
【実施例３】
【００７６】
上記実施例１の情報提示ルーチンＲ３においては、単に受信した話題情報を提示することとした。しかし、上記実施例１において説明したように、以前に提示した話題情報についてのフィードバック情報が生成されて保存されており、それに基づいて提示する話題情報を取捨選択することとしてもよい。
【００７７】
図１０に、実施例３の情報提示部１７が実行するルーチンの一例として、情報提示ルーチンＲ５を示す。情報提示ルーチンＲ５は、情報提示ルーチンＲ３とステップＳ１及び２が共通である。従って、当該共通部分については、説明を省略する。
【００７８】
情報提示ルーチンＲ５において、情報提示部１７は、ステップＳ２において会話が行われていないと判定すると、ステップＳ１において受信した話題情報が以前に提供した際に会話が盛り上がらなかった話題情報か否かを判定する（Ｓ３）。この判定は、以前に、現在接続されている携帯端末ＭＴが同時に接続されていた際に提示された話題情報に関するフィードバック情報を参照することで行われる。
【００７９】
ステップＳ３において、情報提示部１７は、当該受信した話題情報が、以前に提供した際に会話が盛り上がらなかった話題情報であると判定する（ステップＳ３：ＹＥＳ）と、当該話題情報を廃棄し、話題情報生成部１３から次の話題情報が受信されるのを待機し（ステップＳ４）、再度ステップＳ１を実行する。
【００８０】
ステップＳ３において、情報提示部１７は、当該受信した話題情報が、以前に提供した際に会話が盛り上がった話題情報であると判定する（ステップＳ３：ＮＯ）と、ステップＳ１において受信された話題情報を提示して（ステップＳ５）、その後ルーチンは終了する。
【００８１】
上記実施例３の話題提供装置１０によれば、情報提示部１７が、受信した話題情報が以前の提供時に盛り上がった話題か否かを判定する。それにより、以前の提供時に盛り上がらなかった話題情報の提示を回避でき、より適切に話題情報を提示することが可能になる。
【００８２】
上記実施例においては、話題情報生成部１３及び概念データベース１５が、情報提示装置１０内に配される場合を例に説明した。しかし、話題情報生成部１３及び概念データベース１５が情報提示装置１０の外部にあってもよい。
【００８３】
図１１に、情報提示システムの一例として、情報提示装置１０及びサーバ２０を含む情報提示システム１００の機能ブロック図を示す。情報提示システム１００においては、話題情報生成部１３及び概念データベース１５は、情報提示装置１０とインターネット等の通信網を介して通信可能に接続されているサーバ２０内に配されている。すなわち、情報提示システム１００においては、話題情報の生成がサーバ２０においてクラウドで行われる。
【００８４】
このようにすることで、情報提示装置１０によって行われる処理の量を減少させることができる。これにより、情報提示装置１０の構成を簡略化しまた情報提示装置１０の消費電力を低く抑えることが可能となる。なお、話題情報生成部１３が情報提示装置１０に配され、概念データベース１５のみがサーバ２０に配されることとしてもよい。
【００８５】
上記実施例においては、話題情報の生成または提示においては、マイクＭに入力される音声の内容は考慮していない。しかし、マイクＭに入力される会話音声を音声認識により解析し、会話の内容により近い内容の話題情報を提供することとしてもよい。
【００８６】
上記した本願発明の情報提示方法は、本願発明の情報提示方法をハードウェアに実行させるプログラムによって当該ハードウェアによって実行可能である。
【００８７】
上述した実施例における種々の構成、ルーチン等は例示に過ぎず、用途等に応じて適宜選択または組み合わせることができる。
【符号の説明】
【００８８】
１０      情報提示装置
１１      情報取得部
１３      話題情報生成部
１５      概念データベース
１７      情報提示部
２０      話題情報生成サーバ
１００    情報提示システム
Ｄ        ディスプレイ
Ｓ        スピーカ
Ｍ        マイク
【図１】
2017162073.tif 000003
【図２】
2017162073.tif 000004
【図３】
2017162073.tif 000005
【図４】
2017162073.tif 000006
【図５】
2017162073.tif 000007
【図６】
2017162073.tif 000008
【図７】
2017162073.tif 000009
【図８】
2017162073.tif 000010
【図９】
2017162073.tif 000011
【図１０】
2017162073.tif 000012
【図１１】
2017162073.tif 000013